(57)【要約】      （修正有）【課題】折り畳み構成の簡易化を実現できるとともに軽量化による移動容易性を向上できる折り畳み式机を提供する。【解決手段】折り畳み式机１は、室内の壁面Ｗに斜めに立て掛けて使用される平行な２本の脚部材３Ａ、３Ｂと、２本の脚部材間を連結する上部補強部材５及び下部補強部材７と、２本の脚部材間に上下方向に回動自在に連結された天板９と、天板の後端側の部位９ｂの上面に当接して天板を水平となる回動位置で止める支持部材１１Ａとを有する。壁面が通常必要となるもう一対の脚部材の機能を兼ねることにより、構成が簡易化されるとともに、天板は水平に安定支持される。【選択図】図１
0003230064.tif 000002
【実用新案登録請求の範囲】
【請求項１】
壁面に斜めに立て掛けて使用される平行な２本の脚部材と、前記２本の脚部材間を連結する補強部材と、前記２本の脚部材間に上下方向に回動自在に連結された天板と、前記天板を水平となる回動位置で支持する支持部材とを有していることを特徴とする折り畳み式机。
【請求項２】
請求項１に記載した折り畳み式机において、
前記支持部材が、前記２本の脚部材のそれぞれの内側面に設けられ前記天板の回動軸心よりも後端側に位置する部分の上面に当接する構成を有していることを特徴とする折り畳み式机。
【請求項３】
請求項２に記載した折り畳み式机において、
前記天板の折り畳み状態における側面と前記支持部材とが前記脚部材の幅内に収まる構成を有していることを特徴とする折り畳み式机。
【請求項４】
請求項１から３のいずれかに記載した折り畳み式机において、
前記天板を前記２本の脚部材の長手方向に沿った状態に保持する保持機構を有していることを特徴とする折り畳み式机。
【請求項５】
請求項４に記載した折り畳み式机において、
前記保持機構が、前記天板と前記脚部材のうちのいずれか一方に設けられた凸部材と、他方に設けられ前記凸部材が弾性変位により係合する凹部材とを有していることを特徴とする折り畳み式机。
【請求項６】
請求項１から５のいずれかに記載した折り畳み式机において、
前記２本の脚部材のそれぞれの下端が、前記壁面に立て掛けた状態で床面に平行となる設置面を有していることを特徴とする折り畳み式机。
【請求項７】
請求項６に記載した折り畳み式机において、
前記設置面に滑り止め部材が設けられていることを特徴とする折り畳み式机。
【考案の詳細な説明】
【技術分野】
【０００１】
本考案は、不使用時にはコンパクトに折り畳むことができる折り畳み式机に関するものである。
【背景技術】
【０００２】
この種の折り畳み式机は、例えば特許文献１に開示されているように、平行に延びる一対の脚部材を２組回動自在に連結し、これらの脚部材の上端部に天板を水平状態と起立状態とを任意にとることができるように連結した構成を有している。２組の脚部材を水平面で拡げることにより４点支持構成となり、使用時に水平となる天板を安定に支持することができる。
天板の下面両側にそれぞれ一対の脚部材を折り畳み自在に設け、４点支持する構成も知られている。
【０００３】
このような折り畳み式の机は、必要な場合に適宜の場所で椅子と組み合わせることによりデスクワークを行うための構成を容易に構築することができるとともに、不使用時にはコンパクトに折り畳んで適宜の場所に移動し、例えば壁に立て掛けて保管することができる。
【０００４】
上述のように、この種の折り畳み式机は、天板に対する脚部材の連結等における構成上の相違はあるものの、総じて４点支持構成により天板を安定に支持するという考え方に変わりはない。
【先行技術文献】
【特許文献】
【０００５】
【特許文献１】特開２０１６−８７０７７号公報
【考案の概要】
【考案が解決しようとする課題】
【０００６】
しかしながら、特許文献１等に記載の構成では折り畳み可能とするためには、脚部材同士間の回動自在な連結構成や脚部材とテーブル（天板）間の回動自在な連結構成が必要となる。このため、構成の複雑化を避けられないとともに、軽量化の観点からの移動容易性も必ずしも満足のいくものではなかった。
【０００７】
本考案は上記従来の問題点に着目して為されたものであり、折り畳み構成の簡易化を実現できるとともに軽量化による移動容易性を向上できる折り畳み式机の提供を、その目的とする。
【課題を解決するための手段】
【０００８】
本考案は、上記目的を達成するために、天板を水平に安定支持するための２組の脚部材のうちの一方の脚部材の機能を壁面の剛性で代替して構成の簡易化を図るという考えに立っている。
具体的には、請求項１の考案は、壁面に斜めに立て掛けて使用される平行な２本の脚部材と、前記２本の脚部材間を連結する補強部材と、前記２本の脚部材間に上下方向に回動自在に連結された天板と、前記天板を水平となる回動位置で支持する支持部材とを有していることを特徴とする折り畳み式机である。
【０００９】
請求項２の考案は、請求項１に記載した折り畳み式机において、前記支持部材が、前記２本の脚部材のそれぞれの内側面に設けられ前記天板の回動軸心よりも後端側に位置する部分の上面に当接する構成を有していることを特徴とする折り畳み式机である。
【００１０】
請求項３の考案は、請求項２に記載した折り畳み式机において、前記天板の折り畳み状態における側面と前記支持部材とが前記脚部材の幅内に収まる構成を有していることを特徴とする折り畳み式机である。
【００１１】
請求項４の考案は、請求項１から３のいずれかに記載した折り畳み式机において、前記天板を前記２本の脚部材の長手方向に沿った状態に保持する保持機構を有していることを特徴とする折り畳み式机である。
【００１２】
請求項５の考案は、請求項４に記載した折り畳み式机において、前記保持機構が、前記天板と前記脚部材のうちのいずれか一方に設けられた凸部材と、他方に設けられ前記凸部材が弾性変位により係合する凹部材とを有していることを特徴とする折り畳み式机である。
【００１３】
請求項６の考案は、請求項１から５のいずれかに記載した折り畳み式机において、前記２本の脚部材のそれぞれの下端が、前記壁面に立て掛けた状態で床面に平行となる設置面を有していることを特徴とする折り畳み式机である。
【００１４】
請求項７の考案は、請求項６に記載した折り畳み式机において、前記設置面に滑り止め部材が設けられていることを特徴とする折り畳み式机である。
【考案の効果】
【００１５】
本考案によれば、折り畳み構成の簡易化を実現できるとともに軽量化による移動容易性を向上できる。
【図面の簡単な説明】
【００１６】
【図１】本考案の一実施の形態に係る折り畳み式机の使用状態を示す斜視図である。
【図２】図１で示した折り畳み式机の要部分解斜視図である。
【図３】図１で示した折り畳み式机の折り畳んだ状態を示す図で、（ａ）は正面図、（ｂ）は（ａ）のＸ２−Ｘ２線での断面図及び部分拡大図である。
【図４】図１で示した折り畳み式机の保持機構を示す折り畳み状態での要部拡大断面図である。
【図５】図１で示した折り畳み式机における天板と支持部材との関係を示す、図１のＸ１−Ｘ１線での断面図である。
【図６】図１で示した折り畳み式机と椅子によるデスクワーク構成を示す、図１のＸ１−Ｘ１線での概要断面図である。
【考案を実施するための形態】
【００１７】
以下、本考案の一実施の形態に係る折り畳み式机について図面を参照して説明する。
【００１８】
図１は、本実施の形態に係る木製の折り畳み式机１の使用状態を示しており、折り畳み式机１は室内の壁面Ｗに立て掛けて使用される。符号Ｆは床面を示している。
折り畳み式机１は、壁面Ｗに斜めに立て掛けて使用される平行な２本の脚部材３Ａ、３Ｂと、これらの脚部材３Ａ、３Ｂ間を連結する上部補強部材５及び下部補強部材７と、２本の脚部材３Ａ、３Ｂ間に上下方向に回動自在に連結された机板としての天板９と、この天板９を水平となる回動位置で止めた状態に支持する支持部材１１Ａ、１１Ｂ（図３（ａ）参照）等を有している。
【００１９】
図２に示すように、上部補強部材５の両端部には上下方向に間隔をおいて２つの円柱状の凸部（ダボ）５ａが形成されており、脚部材３Ａ、３Ｂの上端部の対応位置に形成された挿入孔（ダボ穴）３ａ（脚部材３Ｂ側は省略）に凸部５ａを圧入することにより脚部材３Ａ、３Ｂの上端部間が上部補強部材５で連結されている。
【００２０】
下部補強部材７も同様に、その両端部には上下方向に間隔をおいて２つの円柱状の凸部（ダボ）７ａが形成されており、脚部材３Ａ、３Ｂの上下方向における略中央部に形成された挿入孔（ダボ穴）３ｂ（脚部材３Ｂ側は省略）に凸部７ａを圧入することにより脚部材３Ａ、３Ｂ間が下部補強部材７で連結されている。
上部補強部材５は、水平方向の中央部に下面側を湾曲状に面取りして形成した取っ手部５ｂを有している。
【００２１】
天板９の水平姿勢における後端側の両端部には、回動軸としての軸ピン１３の一端部が挿入される軸孔９ａが形成されており、脚部材３Ａ、３Ｂの対応する部位には軸ピン１３の他端部が挿入される軸孔３ｃ（脚部材３Ｂ側は省略）が形成されている。すなわち、天板９は後端側の両端部を軸ピン１３で支持されることにより、２本の脚部材３Ａ、３Ｂ間に上下方向に回動自在に連結されている。
天板９の前端側の両端部には、天板９を２本の脚部材３Ａ、３Ｂの長手方向に沿った折り畳み状態（収納状態）に保持する保持機構１４（図３（ａ）参照）の一方をなす凹部材１５が設けられている。これに対応して、脚部材３Ａ、３Ｂの対応する部位には、保持機構１４の他方をなす凸部材１７が設けられている。凹部材１５と凸部材１７の構成の詳細については後述する。
【００２２】
支持部材１１Ａは脚部材３Ａの内側面に不図示のネジで固定されている。脚部材３Ｂにおける支持部材１１Ｂも同様に固定されている。
図３（ｂ）に示すように、天板９の折り畳み状態における側面と支持部材１１Ａとが脚部材３Ａの幅Ｄ内に収まるように設けられている。脚部材３Ｂ側においても同様である。
このため、不使用時には脚部材３Ａ、３Ｂの幅Ｄから他の部材がはみ出さないため、極めてコンパクトな折り畳み構成とすることができる。
また、図３（ａ）から明らかなように、折り畳み状態において、天板９の上端と上部補強部材５との間、天板９の下端と下部補強部材７との間にはほとんど隙間がないように構成されている。すなわち、下部補強部材７の位置を高くして椅子を用いた座位スペースを確保している。
【００２３】
図３（ｂ）に示すように、脚部材３Ａは上端に壁面Ｗに沿う傾斜面３ｄを有しているとともに、下端に床面Ｆに平行となる傾斜した設置面３ｅを有している。これにより安定した立て掛け状態を得ることができる。脚部材３Ｂにおいても同様の構成を有している。
傾斜面３ｄと設置面３ｅには、ゴム質系材料からなる半球状の滑り止め部材１９が接着等の手段により設けられている。
【００２４】
図４に示すように、凸部材１７は、筒状体１７ａ内にバネ１７ｂと球体１７ｃとを収容し、鍔部１７ｄで球体１７ｃの略半部が突出した状態に封止してなる一体構成を有し、脚部材３Ａ、３Ｂに埋設状態に圧入されている。
凹部材１５は、天板９の側面に埋設されて球体１７ｃの突出部が収容される半球状の凹部１５ａと、凹部１５ａに一体に設けられて天板９の側面に不図示のネジで固定される薄肉のフランジ１５ｂとを有している。
【００２５】
図３に示す折り畳み状態では凸部材１７の球体１７ｃの突出部が凹部材１５の凹部１５ａに係合し、折り畳み状態が保持される。折り畳み状態から天板９の上端部（水平状態の前端部）が前方へ押圧されると、バネ１７ｂが圧縮されて球体１７ｃが内方へ弾性変位し、凸部材１７と凹部材１５との係合が外れる。すなわち保持機構１４による天板９の保持力が解除される。
【００２６】
保持機構１４による天板９の保持力が解除されると、図５に示すように、回動位置が後端側にずれているため、天板９は自重で回動可能となる。実際には部材間の当接衝撃を緩和するために手を添えて回動される。
支持部材１１Ａは、その下端に脚部材３Ａの設置面３ｅと同じ傾斜角度θの当接面１１ａを有している。脚部材３Ｂ側の支持部材１１Ｂも同様の形状で、当接面１１ｂを有している。
【００２７】
図６に示すように、支持部材１１Ａ、１１Ｂの当接面１１ａ、１１ｂ（図３（ａ）参照）が天板９の回動軸心（軸ピン１３の中心）よりも後端側の部位９ｂの上面に当接することにより、天板９はそれ以上の回動を規制され、水平に支持される。
天板９が水平になった状態で天板９の後端と壁面Ｗとの間には隙間ｇができるようになっている。
【００２８】
このように、天板９の後端側の部位９ｂの上面を支持部材１１Ａ、１１Ｂに当接させて水平に支持する構成とすることにより、例えば金属製のステーを引っ掛けて止めるなどの構成に比べて極めて簡単な構成とすることができるとともに、水平位置で止める操作も不要となる。
椅子２１と組み合わせることにより、例えばノートパソコン２３を用いてデスクワークを行うための構成を容易に構築することができる。
【００２９】
不使用時には天板９の前端部を掴んで上方に回動し、図３で示したように保持機構１４で保持される状態に折り畳む。その後、折り畳み式机１を壁面Ｗに立て掛けたままとしてもよく、取っ手部５ｂを持って適宜の場所に折り畳み式机１を移動して保管することもできる。
天板９を折り畳むときに保持機構１４による保持力を超えて回り過ぎることも想定されるが、本実施の形態では支持部材１１Ａ、１１Ｂが脚部材３Ａ、３Ｂの長手方向に沿って延びる形状を有しているので、支持部材１１Ａ、１１Ｂが天板９の回り過ぎを規制する当て板としても機能する。
【００３０】
折り畳み式机１を立て掛ける壁面Ｗは特定の場所の壁面に限らず、室内の適宜の壁面を利用することができる。これにより、室内または屋外の壁面がある場所で任意にデスクワーク構成を構築することができる。
【００３１】
上記のように、本実施の形態に係る折り畳み式机１は、天板９を安定に支持するための２組の脚部材のうちの一方を壁面Ｗの剛性を利用して代替する構成としたので、実質的に１組（２本）の脚部材で支持する簡易な構成とすることができる。
これにより、脚部材３Ａ、３Ｂ間の連結構成や脚部材３Ａ、３Ｂと天板９間の連結構成が大幅に簡易化されるとともに、軽量化による移動容易性の向上を図ることができる。
天板９の材質としては、フラッシュボード、パーティクルボード、ＭＤＦ（中密度繊維板）、合板、無垢板などを採用できる。
【００３２】
本実施の形態では椅子２１を用いる座位姿勢での使用例について説明したが、立位姿勢での使用についても、脚部材３Ａ、３Ｂの長さを大きくして天板９の位置を高くすることにより対応することができる。
近年、座位姿勢による長時間のデスクワークにより血流の滞りが生じ易いことが指摘され、立位姿勢でのデスクワークが推奨されているが、このような要望にも寸法の変更により容易に対応することができる。
天板９を上下２段に設けて、座位姿勢での構成と立位姿勢での構成とを任意に選択できるようにしてもよい。
【００３３】
以上、本考案の実施の形態について詳述してきたが、具体的構成は、この実施の形態に限られるものではなく、本考案の要旨を逸脱しない範囲における設計の変更などがあっても考案に含まれる。
例えば、支持部材１１Ａ、１１Ｂは長くせずに当接面１１ａ、１１ｂを有する短片形状としてもよい。
保持機構１４の構成も上記に限定されず、凹部に凸部がスナップフィットする簡易な構成でもよい。
２本の脚部材３Ａ、３Ｂを連結する補強部材は必ずしも上部補強部材５と下部補強部材７とで構成する必要はなく、全体の枠強度が確保される場合にはいずれか一方のみでもよい。
また、上記の実施の形態では折り畳み式机１を木製としたが、材質はこれに限定されず、プラスチックや軽合金で形成してもよい。
【符号の説明】
【００３４】
１…折り畳み式机      ３Ａ、３Ｂ…脚部材    ３ｅ…設置面      ５…上部補強部材
７…下部補強部材      ９…天板            １１Ａ、１１Ｂ…支持部材
１４…保持機構        １５…凹部材          １７…凸部材      １９…滑り止め部材
２１…椅子            ２３…ノートパソコン
Ｄ…脚部材の幅        Ｗ…壁面
【図１】
0003230064.tif 000003
【図２】
0003230064.tif 000004
【図３】
0003230064.tif 000005
【図４】
0003230064.tif 000006
【図５】
0003230064.tif 000007
【図６】
0003230064.tif 000008